(57)【要約】【課題】複数の機器をグループに分類して管理する管理画面を提供する機器管理装置において、機器が特定状態となった場合に、ユーザがその機器がグループ全体のどこにあるのか分かり易く利便性向上を図ることができるようにする。【解決手段】複数の機器をグループに分類して管理するための管理画面を提供する機器管理装置であって、前記グループのうち、前記管理画面の所定の表示領域に収まる分のグループを表示するグループ表示部と、前記グループの全体の情報が、前記グループ表示部に表示されたグループの順番に、かつ、前記管理画面の所定の表示領域に納まるように表示するグループ全体表示部と、を備え、前記機器が所定の状態となった場合に、該機器が属するグループに対応する前記グループ全体表示部の位置の形態が前記所定の状態に対応して変化することを特徴とする。【選択図】図４
2016212921.tif 000002
【特許請求の範囲】
【請求項１】
複数の機器をグループに分類して管理するための管理画面を提供する機器管理装置であって、
前記グループのうち、前記管理画面の所定の表示領域に収まる分のグループを表示するグループ表示部と、
前記グループの全体の情報が、前記グループ表示部に表示されたグループの順番に、かつ、前記管理画面の所定の表示領域に納まるように表示するグループ全体表示部と、を備え、
前記機器が所定の状態となった場合に、該機器が属するグループに対応する前記グループ全体表示部の位置の形態が前記所定の状態に対応して変化することを特徴とする機器管理装置。
【請求項２】
請求項１に記載の機器管理装置において、
前記複数の機器が所定の状態となった場合に、
該機器が属するグループに対応する前記グループ全体表示部の位置の形態が前記所定の状態に対応して変化するとともに、該機器が属するグループに対応する前記グループ表示部の位置の形態が変化することを特徴とする機器管理装置。
【請求項３】
請求項１に記載の機器管理装置において、
前記グループ全体表示部の表示領域は前記グループの数以上に分割され、この分割された表示領域に前記グループの全体の情報が、前記グループ表示部に表示されたグループの順番に、かつ、前記管理画面の所定の表示領域に納まるように表示されることを特徴とする機器管理装置。
【請求項４】
請求項１に記載の機器管理装置において、
前記グループはさらに上位グループに分類して管理され、
前記グループ表示部には、前記グループ及び前記上位グループのうち、前記管理画面の所定の表示領域に収まる分のグループ及び上位グループが表示され、
前記グループ全体表示部の表示領域は前記グループ及び前記上位グループを合わせた数以上に分割され、この分割した表示領域に前記グループ及び前記上位グループの全体の情報が、前記グループ表示部に表示されたグループ及び上位グループの順番に、かつ、前記管理画面の所定の表示領域に納まるように表示されることを特徴とする機器管理装置。
【請求項５】
請求項１に記載の機器管理装置において、
ユーザによるスクロールバーの操作により、前記グループ表示部に全てのグループを表示可能とするスクロール表示部を備え、
該スクロール表示部は、前記グループ全体表示部と対応する位置に設けられるとともに、
前記グループ表示部は、前記スクロールバーが前記グループ全体表示部の所定のグループに対応する位置にあるとき、該所定のグループを表示領域に表示することを特徴とする機器管理装置。
【請求項６】
複数の機器が複数のグループに分類され、前記複数のグループと前記複数の機器とをツリー構造で表示する第１表示部と、
該第１表示部に前記複数のグループ又は前記複数の機器の全てが表示できない場合に、スクロール動作によって、前記複数のグループ又は前記複数の機器の全てを前記第１表示部に表示可能とするスクロール部と、
前記第１表示部に表示された前記複数のグループが選択されることで、該選択されたグループに属する機器の情報を表示する、あるいは、前記第１表示部に表示された前記複数の機器のうち選択された機器の情報を表示する第２表示部と、を有する管理画面を提供する機器管理装置において、
前記複数の機器の状態を監視する機器情報監視部を備え、
前記管理画面には、
該機器情報監視部により、前記複数の機器の何れかが特定の状態となったと判断した場合に、前記特定の状態となった機器を選択動作により表示可能とする特定状態機器選択部が表示され、
該特定状態機器選択部は、前記特定の状態となった機器が前記第１表示部に表示されていない場合であっても、前記スクロール部によるスクロール動作をすることなく前記管理画面上に表示され、かつ、前記機器情報監視部により前記複数の機器の何れかが特定の状態となったと判断した場合に強調表示されることを特徴とする機器管理装置。
【請求項７】
請求項１に記載の機器管理装置において、
前記管理画面には、
前記特定状態機器選択部に選択動作があった場合に、前記特定の状態の機器及びその状態が表示されることを特徴とする機器管理装置。
【請求項８】
請求項１に記載の機器管理装置において、
前記管理画面には、
前記特定状態機器選択部に選択動作があった場合に、前記機器情報監視部によって判断可能な複数種の状態から表示する機器の状態を選択する状態選択部が表示され、
該状態選択部において前記複数種の状態のうち、前記特定の状態が強調表示され、該特定の状態を選択することで該選択された特定の状態の機器及びその状態が表示されることを特徴とする機器管理装置。
【請求項９】
請求項７又は８に記載の機器管理装置において、
前記特定の状態の機器及びその状態の表示は、前記第２表示部にされることを特徴とする機器管理装置。
【請求項１０】
請求項６〜８の何れかに記載の機器管理装置において、
前記管理画面には、
前記機器情報監視部により、前記複数の機器の何れかが特定の状態となったと判断した場合に、前記特定の状態となった機器があることを表示する特定状態表示部が表示され、
該特定状態表示部は、前記特定の状態となった機器が前記第１表示部に表示されていない場合であっても、前記スクロール部によるスクロール動作をすることなく前記管理画面上に表示されることを特徴とする機器管理装置。
【発明の詳細な説明】
【技術分野】
【０００１】
本発明は、複数の機器を管理する管理画面を提供する機器管理装置に関する。
【背景技術】
【０００２】
本技術分野の背景技術として、特許第４４６６７７６号（特許文献１）がある。この特許には、「複数の設備機器を合理的に管理し得る管理画面を提供する機器管理装置を提供するために、第１表示制御部と、条件判定部とを備え、複数の下位空間からなる上位空間内に散在する複数の設備機器を管理する管理画面を提供する。第１表示制御部は、管理画面上に、上位空間に対応する上位オブジェクトおよび下位空間に対応する下位オブジェクトをツリー構造となるように表示する。条件判定部は、設備機器が所定の条件に合致するか否かを判定する。第１表示制御部は、下位オブジェクトの形態を、当該下位オブジェクトに対応する下位空間内の設備機器が所定の条件に合致するか否かの条件判定部による判定の結果に応じて変化させるとともに、上位オブジェクトの形態を、当該上位オブジェクトに対応する上位空間内の設備機器が所定の条件に合致するか否かの条件判定部による判定の結果に応じて変化させる。なお、ツリー構造は、現実の物理的な空間構造を反映するものであってもよいし、論理的な空間構造を反映するものであってもよい。」と記載されている。
【先行技術文献】
【特許文献】
【０００３】
【特許文献１】特許第４４６６７７６号
【発明の概要】
【発明が解決しようとする課題】
【０００４】
特許文献１では、ツリー構造で管理している全オブジェクト、つまり全グループの状態を一画面で表示することは考慮されていない。そのため、ユーザは上位グループの形態から、特定状態の下位グループの存在を把握することはできるが、その下位グループがツリーのどこに存在するかが分からないため探す必要がある。特に、ツリーの規模が大きい場合は、スクロール操作とツリー展開操作が多くなりユーザの利便性を損なってしまう。
【０００５】
そこで本発明は複数の機器をグループに分類して管理する管理画面を提供する機器管理装置において、機器が特定状態となった場合に、ユーザがその機器がグループ全体のどこにあるのか分かり易く利便性向上を図ることができるようにすることを目的とする。
【課題を解決するための手段】
【０００６】
上記課題を解決するために、例えば特許請求の範囲に記載の構成を採用する。  
本願は上記課題を解決する手段を複数含んでいるが、その一例を挙げるならば、複数の機器をグループに分類して管理するための管理画面を提供する機器管理装置であって、前記グループのうち、前記管理画面の所定の表示領域に収まる分のグループを表示するグループ表示部と、前記グループの全体の情報が、前記グループ表示部に表示されたグループの順番に、かつ、前記管理画面の所定の表示領域に納まるように表示するグループ全体表示部と、を備え、前記機器が所定の状態となった場合に、該機器が属するグループに対応する前記グループ全体表示部の位置の形態が前記所定の状態に対応して変化することを特徴とする。
【発明の効果】
【０００７】
本発明によれば、複数の機器をグループに分類して管理する管理画面を提供する機器管理装置において、機器が特定状態となった場合に、ユーザがその機器がグループ全体のどこにあるのか分かり易く利便性向上を図ることができる。  
上記した以外の課題、構成及び効果は、以下の実施形態の説明により明らかにされる。
【図面の簡単な説明】
【０００８】
【図１】本実施例の機器管理装置の構成例である。
【図２】従来の機器管理装置の管理画面例である。
【図３】従来の機器管理装置の管理画面例である。
【図４】実施例１の機器管理装置の管理画面例である。
【図５】実施例１の機器管理装置の管理画面例である。
【図６】実施例１の機器管理装置の管理画面例である。
【図７】実施例２の機器管理装置の管理画面例である。
【図８】実施例２の機器管理装置の管理画面例である。
【図９】実施例２の機器管理装置の管理画面例である。
【図１０】実施例４の機器管理装置の管理画面例である。
【図１１】実施例４の機器管理装置の管理画面例である。
【図１２】実施例４の機器管理装置の管理画面例である。
【図１３】実施例５の機器管理装置の管理画面例である。
【図１４】実施例５の機器管理装置の管理画面例である。
【図１５】実施例７の機器管理装置の管理画面例である。
【図１６】実施例７の機器管理装置の管理画面例である。
【図１７】実施例７の機器管理装置の管理画面例である。
【図１８】実施例６の機器管理装置の管理画面例である。
【図１９】機器管理装置の構成図の一例である。
【図２０】図１９の機器管理装置での管理フローチャートである。
【図２１】図１９の機器管理装置の管理画面例である。
【図２２】実施例８の機器管理装置の構成例である。
【図２３】実施例８の機器管理装置での管理フローチャートである。
【図２４】実施例８の機器管理装置の管理画面例である。
【図２５】特定の状態が強調表示された表示機器選択画面例である。
【図２６】実施例８の機器管理装置の管理画面例である。
【図２７】実施例９の特定の状態が選択された表示機器選択画面例である。
【発明を実施するための形態】
【０００９】
以下、図面を用いて実施例を説明する。
【実施例１】
【００１０】
図１は、本実施例の機器管理装置１００の構成図の例である。機器管理装置１００は、機器を管理するための様々な処理を実行する処理部１０１、機器情報１１５を記憶するための記憶装置１０２、通信路１１４を介して各機器とデータを送受信するための通信部１０３、入力装置１０８からユーザの操作を入力する入力部１０４、出力装置１０９に映像や音を出力する出力部１０５で構成する。
【００１１】
記憶装置１０２の一例として、メモリやハードディスクなどがある。入力装置１０８の一例としてキーボードやマウスなどがある。出力装置１０９の一例としてディスプレイやスピーカーなどがあり、後で説明する管理画面はこの出力装置１０９に相当するものである。入力装置１０８と出力装置１０９は、機器管理装置１００とは別部品となっていてもよいし、内蔵されていてもよい。通信路１１４の一例としてイーサネット（登録商標）やＲＳ−２３２Ｃなどがある。
【００１２】
さらに、機器Ａ１０６〜機器Ｒ１０７の機器情報を収集し、記憶部１０２に機器情報１１５を記憶する機器情報収集部１１０、記憶した機器情報１１５から機器の状態を監視する機器情報監視部１１１、記憶している機器情報１１５を用いて、管理画面を作成する管理画面作成部１１２、入力部１０４を介して入力装置１０８から入力されたユーザの操作に従って、機器を制御する機器制御部１１３で構成する。
【００１３】
図１は機器管理装置の構成例であり、機器構成、機器数、および機器の接続形態を限定するものではない。なお、本実施例の機器とは、たとえば空気調和機を構成する室内機や室外機などである。
【００１４】
図２は、機器管理装置１００において、機器が特定状態になった場合の従来の管理画面の表示例である。図２を用いて、特定状態として機器に異常状態が発生したことによるエラーが生じた場合について従来の表示例を説明する。管理画面２００は、グループ表示部２０１、グループ表示部２０１のスクロール表示部２０４、機器情報表示部２０５、機器情報表示部のスクロール表示部２０６で構成する。なお、グループ表示部２０１はそれぞれの上位から下位までのグループをツリー構造で表示する。
【００１５】
グループ表示部２０１内の２０２はツリーを展開している状態、２０３はツリーを折りたたんでいる状態を示している。なお、本実施例ではツリー構造の構成グループとして、最上位グループから最下位グループまでのそれぞれのグループを最上位グループの「全体」、中間グループの「ブロック」、最下位グループの「グループ」と呼ぶ。
【００１６】
グループ表示部２０１には、最上位グループの「全体」、「全体」の下位グループである「ブロック１」、「ブロック２」、「ブロック３」、「ブロック１」の下位グループである「グループＡ」、「グループＢ」、「グループＣ」、「グループＤ」、「グループＥ」、「ブロック２」の下位グループである「グループＦ」、「グループＧ」が表示されている。
【００１７】
ここでは、ユーザがツリーで「グループＡ」を選択しているとする。「グループＡ」は機器Ａ、機器Ｂ、機器Ｃ、機器Ｄを管理するグループである。２０７は「グループＡ」が管理している機器Ａ〜Ｄの機器情報である。機器管理装置１００の管理画面作成部１１２は、グループ表示部２０１において、エラーが発生している機器Ｄを管理しているグループである「グループＡ」の表示形式を変化させると共に、「グループＡ」の上位グループである「ブロック１」と「全体」の表示形式を変化させることで、ユーザにエラーが発生している機器が存在することを示している。ここでは、表示形式の変化の一例としてグループ名を枠線で囲んでいる。
【００１８】
次に、図３を用いてユーザが表示しているツリーの表示範囲外に特定状態の機器が存在する場合の従来の管理画面の表示例について説明する。図３では、特定状態をエラーとして説明する。３００１はユーザが表示しているグループ表示部２０１の範囲外表示部である。グループ表示部２０１の範囲外表示部３００１には、中間グループの「ブロック４」、「ブロック５」、「ブロック６」、「ブロック７」、「ブロック８」、「ブロック９」、「ブロック１０」、「ブロック５」の下位グループである「グループＪ」、「グループＫ」、「グループＬ」、「ブロック６」の下位グループである「グループＭ」、「ブロック７」の下位グループである「グループＮ」が存在する。
【００１９】
ここで機器管理装置１００の管理画面作成部１１２は、グループ表示部２０１においてエラーが発生している機器を管理している「グループＪ」の表示形式を変化させると共に、「グループＪ」の上位グループである「ブロック５」と「全体」の表示形式を変化させることでユーザにエラーが発生している機器が存在することを知らせるが、「グループＪ」及び「ブロック５」はグループ表示部２０１の範囲外表示部３００１に存在しているため、ユーザは「全体」が枠線で囲まれていることしか見ることができない。
【００２０】
数十個以上ものグループで構成されたツリー構造の全てを表示することができる大型の出力装置１０９（管理画面）を用意することは現実的ではない。また、機器管理装置１００には小型の出力装置１０９を採用してコスト低減を図る場合がある。このような場合に数十個以上ものグループで構成されたツリー構造を表示すると、機器管理装置の管理画面において、どの機器でエラーが発生しているのかを探すために、ユーザがスクロール操作とツリーの展開操作を行って枠線で囲まれている「グループ」を探す必要があり、ユーザの利便性を損なうという問題が生じていた。
【００２１】
そこで、以下においては従来の図２、３に示す出力装置１０９（管理画面）で生じていた問題を解決するための本実施例の出力装置１０９（管理画面）について説明する。  
図４はこのための本実施例の出力装置１０９（管理画面）の表示例を説明するための図である。４００１は、グループ表示部２０１と範囲外表示部３００１を示すグループ全体表示部である。本実施例では、グループ全体表示部４００１のツリー展開方向の幅と、スクロール表示部２０４のスクロールバーが移動できる領域のツリー展開方向の幅をＨｔとして一致させている。
【００２２】
グループ全体表示部４００１の表示形式の変化方法について説明する。ここでは、表示形式の変化の一例として、着色する場合について説明する。グループ全体表示部４００１のツリー展開方向の幅をＨｔとし、ユーザがツリーで展開しているグループ数（＊が付いているグループ）をＡｎとする。
【００２３】
図４の場合は、Ａｎは２３である。グループ１つあたりのツリー展開方向の幅はＨｔ／Ａｎで求める。つまり、グループ全体表示部４００１のツリー展開方向の幅をグループ数で分割する。分割領域は上から順に、ツリーのグループを上から順に割り当てる。その後、割り当てたグループにエラーが発生している分割領域を着色する。図４の場合、グループ全体表示部４００１のうち「全体」、「ブロック１」、「グループＡ」、「ブロック５」、「グループＪ」、「ブロック８」に割り当てられた分割領域を着色する。
【００２４】
すなわち、本実施例の機器管理装置１００は、複数の機器をグループに分類して管理するための管理画面２００を提供するものであり、グループのうち、管理画面２００の所定の表示領域に収まる分のグループを表示するグループ表示部２０１と、グループの全体の情報が、グループ表示部２０１に表示されたグループの順番に、かつ、管理画面２００の所定の表示領域に納まるように表示するグループ全体表示部４００１と、を備えている。
【００２５】
そして上記したように機器Ｄがエラー等の所定の状態となった場合に、機器Ｄが属するグループＡに対応するグループ全体表示部４００１の位置の形態がエラー等の所定の状態に対応して変化する。たとえばエラーであれば赤色に着色することで警告を意味することができる。なお、ここでいうグループとしては上記したように最上位グループから最下位グループの全てを含むようにしてもよいし、あるいは最下位グループである「グループＡ」等のみを着色するようにしてもよい。
【００２６】
また機器Ｄがエラー等の所定の状態となった場合には、機器Ｄが属するグループＡに対応するグループ全体表示部４００１の位置の形態がエラー等の所定の状態に対応して変化するとともに、機器Ｄが属するグループＡに対応するグループ表示部２０１の位置の形態が変化する。図４ではこの変化として、グループＡを枠線で囲っているが、着色したり文字を濃く目立つものとしたり、あるいは点滅させたりするようにしてもよい。
【００２７】
またグループ全体表示部４００１の表示領域はグループの数以上に分割され、この分割された表示領域にグループの全体の情報が、グループ表示部２０１に表示されたグループの順番に、かつ、管理画面２００の所定の表示領域に納まるように表示される。なお、ここでいうグループとしても上記したように最上位グループから最下位グループの全てを含むようにしてもよいし、あるいは最下位グループである「グループＡ」等のみを含むようにしてもよい。
【００２８】
つまり、グループはさらに上位グループに分類して管理される場合には、グループ表示部２０１には、グループ及び上位グループのうち、管理画面２００の所定の表示領域に収まる分のグループ及び上位グループが表示され、グループ全体表示部４００１の表示領域はグループ及び上位グループを合わせた数以上に分割され、この分割した表示領域にグループ及び上位グループの全体の情報が、グループ表示部２０１に表示されたグループ及び上位グループの順番に、かつ、管理画面２００の所定の表示領域に納まるように表示される。
【００２９】
図５は、図４のスクロール表示部２０４とグループ全体表示部４００１を重ねて表示した場合の管理画面の表示例である。このように、グループ全体表示部４００１を他の画面部品と重ねて表示しても良い。グループ全体表示部４００１を他の画面部品、特にスクロール表示部２０４と重ねて表示することで、ユーザの視線移動を少なくすることができる。
【００３０】
図６は、図４の上から３つめの着色部分の上端とスクロールバーの上端を一致させた時の管理画面の表示例である。つまり、ユーザによるスクロールバーの操作により、グループ表示部２０１に全てのグループを表示可能とするスクロール表示部２０４を備え、スクロール表示部２０１は、グループ全体表示部４００１と対応する位置に設けられるとともに、グループ表示部２０１は、スクロールバーがグループ全体表示部４００１の所定のグループに対応する位置にあるとき、該所定のグループを表示領域に表示する。
【００３１】
このように、グループ全体表示部４００１のツリー展開方向の幅を、ユーザがツリーで展開しているグループ数で分割することで、ツリー全体表示領域４００１に対するスクロールバーの位置と、ツリー全体に対する表示グループの位置を一致させることができ、ユーザはエラーが発生している機器が属するグループがどこにあるのか容易に把握できるとともに、このグループへスクロールバーをもっていく動作を容易に行うことができる。  
なお、図２〜６は管理画面の表示例であり、表示形式の変化方法、ツリー構造、機器数、およびユーザに示す機器状態を限定するものではない。
【００３２】
以上のように表示を変化させることで、ユーザはスクロール操作とツリーの展開操作なしにエラー等の特定状態の機器がツリーのどの位置に存在するかを一目で把握することができる。さらに、グループ全体表示部４００１に対するスクロールバーの位置と、ツリー全体に対する表示グループの位置を対応させることができ、機器管理装置の利便性を向上させることができる。
【実施例２】
【００３３】
以下、本発明の実施例２について図面を用いて説明する。  
図７は図４のツリーを全て展開した管理画面を示すものである。また、本実施例では、図７のグループ全体表示部４００１のツリー展開方向の幅と、グループ表示部２０１のツリー展開方向の幅を一致させている。
【００３４】
グループ全体表示部４００１の表示形式の変化方法について説明する。ここでは、表示形式の変化の一例として、着色する場合について説明する。また、特定状態をエラーとして説明する。グループ全体表示部４００１のツリー展開方向の幅をＨｖとし、ツリー構造の最下位グループ数（＊が付いているグループ）をＢｎとする。ここでいう最下位グループとは実施例１におけるグループＡ、グループＢ等の「グループ」に相当するものであり、Ｂｎはツリーの展開状態にかかわらず一定である。
【００３５】
図７の場合は、Ｂｎは１８である。グループ１つあたりのツリー展開方向の幅はＨｖ／Ｂｎで求める。つまりグループ全体表示部４００１のツリー展開方向の幅を１８分割する。分割領域は上から順に、ツリー構造の最下位グループを上から順に割り当てる。その後、割り当てた最下位グループにエラーが発生している分割領域を着色する。図７の場合、グループ全体表示部４００１のうち、「グループＤ」、「グループＪ」、「グループＰ」に割り当てられた分割領域が着色される。
【００３６】
図８は、図７のグループ全体表示部４００１の先頭から、グループ表示部２０１に表示できるグループ数ごとに、表示区切り線８０１を表示したものである。このように表示形式を変化させることで、ユーザはツリー全体がどの程度の規模であるかを一目で把握することができる。
【００３７】
なお、本実施例で説明した分割方法は、ツリーの展開状態にかかわらず、グループ全体表示部４００１を最下位グループの数で分割するため、グループ表示部２０１に対するグループの位置と、スクロールバーに対するグループ全体表示部４００１の分割領域の位置が一致しない場合がある。
【００３８】
そこで、図９のように、グループ全体表示部４００１のうち、ツリーで表示しているグループ内の最下位グループに対応する分割領域の表示形式を変化させることで、ユーザはツリーのどこが表示されているのかを一目で把握することができる。ここでは、表示形式の変化の一例として、表示枠線９０１で囲んでいる。つまり、グループ表示部２０１で表示されている領域がツリー構造全体の中でどの位置にいるのか、という情報をグループ全体表示部４００１に示したものである。
【００３９】
以上のように表示を変化させることで、ユーザはスクロール操作とツリーの展開操作なしに、特定状態の機器がツリーのどの位置に存在するかを一目で把握することができる。さらに、グループ全体表示部４００１を最下位グループの数で分割することで、分割領域を大きくすることができる。また、分割領域を大きくし、表示区切り線８０１や表示枠線９０１を用いてグループ全体表示部４００１の表示形式を変化させることで、グループ全体表示部４００１を見やすることができ、機器管理装置１００の利便性を向上させることができる。
【実施例３】
【００４０】
以下、本発明の実施例３について説明する。
グループ全体表示部４００１の分割方法を実施例１と実施例２で説明したが、説明した方法で分割した場合に、分割数が出力装置の最小表示単位を下回る場合がある。例えば、出力装置１０９が液晶ディスプレイで、ＨｔあるいはＨｖが１０００ピクセルとする。この時、ＡｎもしくはＢｎが２０００の場合、Ｈｔ／ＡｎあるいはＨｖ／Ｂｎ（分割領域のサイズ）は０．５ピクセルとなり、表示することができない。この問題は、分割領域のサイズが一定値を下回った場合に、ＡｎもしくはＢｎを所定の値に補正することで解決することができる。
【００４１】
分割領域のサイズが１０ピクセルを下回った場合に、ＡｎもしくはＢｎを５０に補正するとして説明する。補正値は記憶装置１０２に記憶しておく。ＨｔもしくはＨｖが１０００で、ＡｎもしくはＢｎが２００である場合、Ｈｔ／ＡｎもしくはＨｖ／Ｂｎは５となり１０を下回る。そこで、ＡｎもしくはＢｎを５０に補正し、Ｈｔ／ＡｎあるいはＨｖ／Ｂｎを再計算する。その結果、Ｈｔ／ＡｎあるいはＨｖ／Ｂｎは２０となり、ツリー全体表示領域４００１は補正値である５０に分割され、分割領域のサイズは２０ピクセルとなる。Ｈｔ／ＡｎあるいはＨｖ／Ｂｎが割り切れない場合は、余りのピクセルを分割領域に１ピクセルずつ加算して、分割領域のサイズを調整する。
【００４２】
ここで、分割領域１つに対して１つのグループを割り当てることができないため、グループ数を補正値である５０で分割する。分割した結果、１つの分割領域に４つのグループを割り当てればよいことが分かる。グループ数が補正値で割り切れない場合、余りのグループ数を、分割領域に１つずつ加算して、１つの分割領域に対するグループの割り当て数を調整する。
【００４３】
１つの分割領域に複数のグループを割り当てた場合、複数の状態のグループ混在している状況で分割領域が選択された時に、どのグループを選択すればよいかが問題となる。この問題は、状態に優先度を付けて優先度の高いグループを選択する、ツリー構造で一番上のグループを選択する、アルファベット順で先頭になる名称を持つグループを選択する、最初に状態が変化したグループを選択する、最後に状態が変化したグループを選択するなどすることで、解決することができる。
【００４４】
以上のように、グループ全体表示部４００１を分割し、グループを割り当てることで、グループ数が多くても、分割領域のサイズが一定値以下なることを防止できる。そのため、ユーザが一目みて分かりやすい表示領域を示すことができ、機器管理装置の利便性が向上する。
【実施例４】
【００４５】
以下、図面を用いて本発明の実施例４について説明する。  
図７、図１０〜１２、１４を用いて、グループ全体表示部４００１の表示形式を変化させた部分を選択することで、ツリーの選択グループを、分割領域に割り当てたグループに変更する動作例について説明する。本実施例では、表示形式を変化の一例として、着色する場合について説明する。図１４は、図７の「ブロック８」を折りたたんでいる状態の管理画面の表示例である。
【００４６】
はじめに、ユーザが図１４の状態でツリーを表示しており、「グループＡ」を選択しているとする。この時、機器情報表示部２０５には、「グループＡ」が管理している機器Ａ〜Ｄの機器情報２０７が表示されている。ここで、ユーザがグループ全体表示部４００１の一番上の着色部分を選択すると、処理部１０１は入力部１０４を介して入力装置１０８からユーザの操作を検出し、管理画面生成部１１２を制御して、ツリーの選択グループを「グループＡ」から「グループＤ」に変更した画面（図１０で示す画面）を作成する。処理部１０１は、作成した管理画面を、出力部１０５を介して出力装置１０９に出力する。その結果、機器情報表示部２０５には、「グループＤ」が管理している機器Ｅ〜Ｈの機器情報１００１が表示される。
【００４７】
また、ユーザがグループ全体表示部４００１の真ん中の着色部分を選択すると、処理部１０１は入力部１０４を介して入力装置１０８からユーザの操作を検出し、管理画面生成部１１２を制御して、ツリーの選択グループを「グループＡ」から「グループＪ」に変更した画面（図１１で示す画面）を作成する。処理部１０１は、作成した管理画面を、出力部１０５を介して出力装置１０９に出力する。その結果、機器情報表示部２０５には、「グループＪ」が管理している機器Ｉ〜Ｌの機器情報１１０１が表示される。
【００４８】
また、ユーザがグループ全体表示部４００１の一番下の着色部分を選択すると、処理部１０１は入力部１０４を介して入力装置１０８からユーザの操作を検出し、管理画面生成部１１２を制御して、ツリーの選択グループを「グループＡ」から「ブロック８」に変更した画面（図１２で示す画面）を作成する。処理部１０１は、作成した管理画面を、出力部１０５を介して出力装置１０９に出力する。その結果、機器情報表示部２０５には、「ブロック８」が管理している機器Ｍ〜Ｐの機器情報１２０１が表示される。
【００４９】
以上のように表示を変化させることで、ユーザはツリーの展開状態を維持したまま、スクロール操作とツリーの展開操作なしに、特定状態の機器を管理しているグループを一回の操作で選択することができ、機器管理装置の利便性を向上させることができる。
【実施例５】
【００５０】
以下、図面を用いて本発明の実施例５について説明する。  
図１３、図１４を用いて、図１２とは別のツリーの選択グループを変更する動作例を説明する。図１４は、図７の「ブロック８」を折りたたんでいる状態の管理画面の表示例である。
【００５１】
はじめに、ユーザが図１４の状態でツリーを表示しており、「グループＡ」を選択しているとする。この時、機器情報表示部２０５には、「グループＡ」が管理している機器Ａ〜Ｄの機器情報２０７が表示されている。ここで、ユーザがツリー全体表示領域４００１の一番下の着色部分を選択すると、処理部１０１は入力部１０４を介して入力装置１０８からユーザの操作を検出し、管理画面生成部１１２を制御して、ツリーの選択オブジェクトを変更する。この時、「グループＰ」の上位オブジェクトである「ブロック８」と「全体」を展開して「グループＡ」から「グループＰ」に変更した画面（図１３で示す画面）を作成する。処理部１０１は、作成した管理画面を、出力部１０５を介して出力装置１０９に出力する。その結果、機器情報表示部２０５には、「グループＰ」が管理している機器Ｏ、機器Ｐの機器情報１４０１が表示される。
【００５２】
図１３、図１４は管理画面の表示例であり、表示形式の変化方法、ツリー構造、機器数、およびユーザに示す機器の状態を限定するものではない。
【００５３】
以上のように表示を変化させることで、ユーザは、スクロール操作とツリーの展開操作なしに、特定状態の機器を管理している最下位オブジェクトを一回の操作で選択することができ、機器管理装置の利便性を向上させることができる。
【実施例６】
【００５４】
図７と１８を用いて、グループの状態が変化したタイミングで、ツリーを展開する動作例を説明する。図１８は、図１４の「ブロック８」が管理する機器が特定状態になっていない管理画面の表示例である。ここでは、特定状態をエラーとして説明する。
【００５５】
はじめに、ユーザが図１８の状態でツリーを表示しており、「グループＡ」を選択しているとする。この時、機器情報表示部２０５には、「グループＡ」が管理している機器Ａ〜Ｄの機器情報２０７が表示されている。
【００５６】
ここで、グループＰが管理する機器にエラーが発生したとする。エラーが発生すると処理部１０１は管理画面作成部１１２を制御して「ブロック８」を展開し、「ブロック８」と「グループＰ」の表示形式を変化させた画面（図７で示す画面）を作成する。処理部１０１は、作成した管理画面を、出力部１０５を介して出力装置１０９に出力する。図７では、表示形式の変化の一例として、「ブロック８」と「グループＰ」を枠線で囲んでいる。
【００５７】
以上のようにエラーが発生した機器が属する最下位グループから最上位グループを自動でツリー展開するようにすることで、ユーザがスクロール時に特定状態の機器を発見しやすくなり、機器管理装置の利便性が向上する。
【実施例７】
【００５８】
図１５〜１７を用いて、スクロール時に特定状態の機器を発見しやすくする動作について説明する。図１５は、管理している機器が特定状態になっている「グループＪ」がツリーの先頭に表示されている。図１５では、特定状態をエラーとして説明する。この状態から、スクロールバーを下に下げ、図１６の状態になったとする。この時、ツリーのスクロールを止める。さらにスクロールバーの下に下げ、図１７の状態になったとする。ここで、ツリーのスクロールを再開する。
【００５９】
つまり、図１６では、ツリーのスクロール時に、特定状態の機器を管理しているオブジェクトが所定の位置を通過する際に、一定時間スクロール動作を止める、あるいはツリーのスクロール時に、特定状態の機器を管理しているオブジェクトが所定の位置を通過する際に、スクロールバーの移動量が所定量以下の間、スクロール動作を止めるようにしたことを示している。
【００６０】
以上のように動作させることで、特定状態の機器を管理しているグループでスクロールが一時停止し、特定状態の機器が存在することをユーザに示すことができ、機器管理装置の利便性が向上する。
【実施例８】
【００６１】
特許文献１では、ツリー構造以外の表示方法において、特定の状態の機器が存在することをユーザに提示することは考慮されていない。そのため、ユーザが特定の状態の機器を探す場合に、ツリー構造で表示された機器から、特定の状態を示す形態の機器を探し、一つずつツリー構造を展開する必要がある。特に、階層が深いツリー構造の場合はツリーを展開する操作が増え、ユーザの利便性を損なってしまう。そこで本実施例は、階層が深いツリー構造において特定の状態となった機器があることを容易にユーザが把握可能な機器管理装置を提供することを目的とする。
まず図１９〜２１を用いて機器管理装置１００の動作の一例を説明した後、本発明の機器管理装置４００の動作を図２２〜２６を用いて説明する。なお、本実施例における管理対象となる機器の詳細は省略しているが、たとえば、ビルや店舗、あるいは病院や学校等の施設に取付けられる複数の空気調和機を対象とする。このような空気調和機はある施設に対して、多い場合には数百台〜数千台が取付けられることがあるため、そのＯＮ・ＯＦＦの運転制御や、あるいは異常発生の有無の監視等の機器管理を集中的に行うことが必要となる。本実施例の機器管理装置４００は、このような場合に用いられ、設置された複数の空気調和機の管理を集中的に行うものである。
図１９は、機器管理装置１００の構成図の一例を示す。図１９の機器管理装置１００は、機器を管理するための様々な処理を実行する処理部１０１、最新の機器情報１１５と前回の機器情報１１６を蓄積するための記憶装置１０２、通信路１１４を介して各機器とデータを送受信するための通信部１０３、入力装置１０８からユーザの操作を入力する入力部１０４、出力装置１０９に映像や音を出力する出力部１０５で構成する。
【００６２】
記憶装置１０２の一例として、メモリやハードディスクなどがある。入力装置１０８の一例としてキーボードやマウスなどがある。出力装置１０９の一例としてディスプレイやスピーカーなどがある。入力装置１０８と出力装置１０９は、機器管理装置１００に内蔵されていてもよい。通信路１１４の一例としてイーサネット（登録商標）やＲＳ−２３２Ｃなどがある。処理部１０１は、機器Ａ１０６、機器Ｂ１０７の機器情報を収集し、記憶部１０２に最新の機器情報１１５を蓄積する機器情報収集部１１０、蓄積している最新の機器情報１１５と前回の機器情報１１６を比較して、変化があるか否かを監視する機器情報監視部１１１、蓄積している最新の機器情報１１５を用いて管理画面を作成する管理画面作成部１１２、入力部１０４を介して入力装置１０８から入力されたユーザの操作に従って、機器を制御する機器制御部１１３で構成する。なお、図１９は機器管理装置の構成図の例であり、機器の構成、機器の数、および機器の接続形態を限定するものではない。
【００６３】
図２０は、図１９の機器管理装置１００の管理フローチャートである。
ステップ２００１：機器情報収集部１１０は、通信部１０３を介して機器Ａ１０６と機器Ｂ１０７の最新の機器情報１１５を収集し、記憶装置１０２に蓄積する。
ステップ２００２：機器情報監視部１１１は、前回の機器情報１１６と最新の機器情報１１５を比較し、機器情報に変化があるか否かを監視する。
ステップ２００３：変化がある場合はステップ２００４へ進む。変化がない場合はステップ２０５へ進む。
ステップ２００４：機器情報監視部１１１は、管理画面作成部１１２へ管理画面の作成と出力を要求する。管理画面作成部１１２は、記憶装置１０２に蓄積している最新の機器情報１１５を用いて管理画面を作成し、出力部１０５を介して出力装置１０９へと出力する。
ステップ２００５：機器制御部１１３は、入力部１０４からユーザの操作情報を受信する。
ステップ２００６：機器を制御する操作がある場合はステップ２００７へ進む。画面の操作がある場合はステップ２００８へ進む。操作がない場合はステップ２００１へ戻り、機器の管理を続行する。
ステップ２００７：制御部１１３は、入力部１０４を介して入力装置１０８から入力されたユーザの操作に従って制御データを作成し、通信部１０３を介して機器Ａ１０６と機器Ｂ１０７を制御する。制御が完了するとステップ２００１へ戻り、機器の管理を続行する。
ステップ２００８：管理画面作成部１１２は、入力部１０４を介して入力装置１０８から入力されたユーザの操作に従って管理画面を更新し、出力部１０５を介して出力装置１０９へと出力する。画面の更新が完了するとステップ２００１へ戻り、機器の管理を続行する。
【００６４】
ここで、フローチャートのステップ２００１〜２００４をステップ２００５〜２００８の後に処理してもよい。また、それぞれの処理を独立させ、ステップ２００１〜２００４を常に処理しながら、ユーザの操作があった時に入力部１０４が処理部１０１にユーザの操作を通知し、処理部１０１は通知を受けると、ステップ２００１〜２００４の処理を一時停止し、ステップ２００５〜２００８を処理するようにしてもよい。
【００６５】
図２１は、図１９の機器管理装置１００の管理画面の例である。管理画面３００は、ツリー表示部３０１（第１表示部）、ツリー表示部３０１（第１表示部）のスクロールバー３０４、機器情報表示部３０５（第２表示部）、機器情報表示部３０５（第２表示部）のスクロールバー３０６で構成する。ツリー表示部３０１（第１表示部）の３０２はツリーを展開している状態、３０３はツリーを折りたたんでいる状態を示している。ここでは、「Ａグループ」を選択しているとする。３０７は各機器の情報を表示している。ここでは、機器Ａ〜Ｄの状態を表示しているとする。
【００６６】
数百台〜数千台もの空気調和機が施設に取付けられた場合に、これらの機器情報の全てを表示することができる大型の出力装置１０９を用意することは現実的ではないため、機器管理装置１００に小型の出力装置１０９を採用してコスト低減を図ることが考えられる。この出力装置１０９は外付けであっても機器管理装置１００に内蔵してもよい。このような場合には数百台〜数千台もの空気調和機のツリー構造は、ツリー表示部３０１（第１表示部）に一度に表示することはできず、ユーザはツリー表示部３０１（第１表示部）のツリーの展開、折りたたみを操作する、あるいは、スクロールバー３０４を操作することで、数百台〜数千台もの空気調和機のツリー構造を確認することができる。
【００６７】
ここで、ある空気調和機に異常が発生した、あるいは、省エネ運転中やメンテナンス中などの特定の状態となった場合について説明すると、このようにある機器が特定の状態となったことがユーザにすぐに分かるようにすることが望ましい。本実施例のツリー構造の複数の機器は複数のグループに分類されており、図２１に示すようにたとえば、機器Ａ〜ＧがＡグループに分類されている。また、図示はしていないが、その他の複数の機器がＢグループ、あるいはＣグループに分類されており、ユーザは図２１の＋Ｂグループ、＋Ｃグループを選択すれば、それぞれ分類された機器をツリー構造で展開して確認することができる。また、−Ａグループを選択すれば、展開されたツリー構造を閉じることができる。
【００６８】
また、それぞれのＡグループ、Ｂグループ、Ｃグループはさらに上位のグループである全体に属している。図２１では、全体が最上位グループとなっているが、この全体と同じ上位に他のグループが存在するようにしても構わない。たとえば、あるビルに複数の空気調和機が設置されたことを考えると、ビル全体を最上位グループとして、各階を第１の下位グループとし、さらに各階における部屋や東側等の位置を示す情報を第２の下位グループとし、それぞれの空気調和機は最下位グループである第２の下位グループに属するものとするようにしても構わない。
【００６９】
このように、下位グループが複数になると、図２１に示すように全てのグループをツリー表示部３０１（第１表示部）に一度に表示することはできず、そのために図２１では、スクロールバー３０４が表示されて、ユーザはこれを操作することで全てのグループのツリー構造を確認することができるものである。
【００７０】
すると、たとえば図２１に図示されているグループＢに属する空気調和機が上記した特定の状態となった場合には、たとえば、図２１のＢグループの表示の色を変える、点滅させる、等の何らかの強調表示をすることでユーザはＢグループに属する空気調和機の何れかが特定の状態となったことを知ることができる。
【００７１】
また、図２１に図示されていないグループＨに属する空気調和機が特定の状態となった場合に、グループＨの表示を上記したような強調表示としてもグループＨは、ツリー表示部３０１（第１表示部）に表示されていないので、ユーザはこれを直ちに把握することができない。そこで、グループＨのさらに上位グループである全体を強調表示することで、何れかのグループに属する空気調和機が特定の状態となったことをユーザが認識することができる。
【００７２】
しかしながら、このように上位グループである全体を強調表示したとしても、たとえば、数千台もの空気調和機が何百ものグループに属しているような集中管理システムの場合、ツリー表示部３０１（第１表示部）のどこのグループに特定状態となった空気調和機が属しているのか確認するだけでも非常に大きな手間がかかる。つまり、ユーザはこれを探すために、手動でスクロールバー３０４を操作する、あるいは、強調表示されたグループを選択することで機器情報を機器情報表示部３０５（第２表示部）に表示する必要があり、さらなるユーザの利便性向上が求められる。
【００７３】
そこで以下においては、このような課題を解決する本実施例の機器管理装置４００の動作例について説明する。  
図２２は、本実施例の機器管理装置４００の構成図の例である。本実施例の機器管理装置４００は、図１９の機器管理装置１００に、表示する機器を選択するための特定状態機器選択部を管理画面上に作成する表示機器選択画面作成部４０１と、特定の状態の機器を機器情報監視部１１１が検出した際に、記憶装置１０２に蓄積する特定の状態情報４０２を追加したものである。なお、図２２は機器管理装置の構成図の例であり、機器の構成、機器の数、および機器の接続形態を限定するものではない。
【００７４】
図２３は、本実施例の機器管理装置４００の管理フローチャートである。ステップ２００１〜２００３、ステップ２００５〜２００８までは図２０で説明しているため、ここでの説明は省略する。なおステップ２００４は動作を変更して、ステップ５０５としている。
ステップ５０１：機器情報監視部１１１は、最新の機器情報１１５から、機器が特定の状態になっていないか、例えばエラーが発生している機器が存在するかを検索する。
ステップ５０２：特定の状態になっている機器が存在する場合はステップ５０３へ進む。存在しない場合はステップ５０４へ進む。
ステップ５０３：機器情報監視部１１１は、特定の状態情報４０２を記憶装置１０２に蓄積する。
ステップ５０４：機器情報監視部１１１は、記憶装置１０２に蓄積している特定の状態情報４０２を削除する。
ステップ５０５：機器情報監視部１１１は、管理画面作成部１１２へ管理画面の作成と出力を要求する。管理画面作成部１１２は、要求を受けると記憶装置１０２に蓄積している最新の機器情報１１５と、特定の状態情報４０２を用いて管理画面を作成し、特定状態機器選択部６０１及び特定の状態情報を出力部１０５を介して出力装置１０９へと出力する。
ステップ５０６：表示機器選択画面作成部４０１は、表示する機器を選択するための表示機器選択画面を作成し、出力部１０５を介して出力装置１０９へと出力する。この時、記憶装置１０２に蓄積している特定の状態情報４０２を用いて、選択する状態を強調表示する。
ステップ５０７：入力部１０４を介して入力装置１０８から入力されたユーザの操作に従って表示機器を設定する。
ステップ５０８：管理画面作成部１１２は、ステップ５０７の設定に従って管理画面を作成し、出力部１０５を介して出力装置１０９へ出力する。画面の更新が完了するとステップ２００１へ戻り、機器の管理を続行する。
【００７５】
図２４は、本実施例の機器管理装置４００の管理画面例である。管理画面６００は、図２１の３０１〜３０７に、特定状態機器選択部（表示機器選択ボタン６０１）と、特定の状態を通知するための表示部として通知領域６０２（特定状態表示部）を追加している。ここでは、通知領域６０２（特定状態表示部）に特定の状態の一例としてエラー１、エラー２が発生している機器が存在することを表示している。
【００７６】
ステップ５０１〜５０５に示すように本実施例では、機器情報監視部１１１により、複数の機器の何れかが特定の状態となったと判断した場合に、特定の状態となった機器を選択動作により表示可能とする特定状態機器選択部（表示機器選択ボタン６０１）が出力装置１０９（管理画面６００）に表示される。ここで、特定状態機器選択部（表示機器選択ボタン６０１）は、特定の状態となった機器がツリー表示部３０１（第１表示部）に表示されていない場合であっても、スクロールバー３０４によるスクロール動作をすることなく管理画面６００に表示される。また、機器情報監視部１１１により複数の機器の何れかが特定の状態となったと判断した場合には、特定状態機器選択部（表示機器選択ボタン６０１）が強調表示されることにより、特定の状態となった機器がツリー表示部３０１（第１表示部）に表示されていない場合であっても、ユーザは直ちにエラー等の異常や何らかの特定の状態となった機器があることを把握することができる。
【００７７】
また、管理画面６００には、機器情報監視部１１１により、複数の機器の何れかが特定の状態となったと判断した場合に、特定の状態となった機器があることが表示する通知領域６０２（特定状態表示部）に表示される。この通知領域６０２（特定状態表示部）は、特定の状態となった機器が第１表示部に表示されていない場合であっても、スクロールバー３０４によるスクロール動作をすることなく管理画面６００上に表示されるため、ユーザは直ちに具体的にどのような特定の状態となった機器があるのか、把握することが可能となる。
【００７８】
図２５は、ユーザが特定状態機器選択部（表示機器選択ボタン６０１）を選択した際に表示する、表示機器選択画面の例である。状態選択部（表示機器選択画面７０００）は、表示したい機器の状態を選択するメニュー７００１〜７００７と、表示する機器の選択を実行するＯＫボタン７００８と中止するためのキャンセルボタン７００９で構成する。つまり、管理画面６００には、特定状態機器選択部（表示機器選択ボタン６０１）の選択動作があった場合に、機器情報監視部１１１によって判断可能な複数種の状態から表示する機器の状態を選択する状態選択部（表示機器選択画面７０００）が表示される。ここでは、判断可能な複数種の特定の状態の例として、エラー１〜エラー７までを示している。そして、状態選択部（表示機器選択画面７０００）において複数種の状態（エラー１〜エラー７）のうち、特定の状態（エラー１、エラー２）が強調表示されるものである。
【００７９】
複数の状態を選択した場合、表示する機器の検索方法はＡＮＤ検索でもＯＲ検索でもＮＯＴ検索でもよい。あるいは、各検索方法を組み合わせてもよい。本実施例では、エラー１、エラー２が発生しているとして、エラー１とエラー２の選択メニューを枠線で囲って強調表示している。強調表示は、文字を太字にする、フォントサイズを大きくする、文字色を変える、文字を点滅表示させるなどの方法を用いてもよい。
【００８０】
図２６は、エラー１とエラー２をメニュー選択ボタン７００１、７００２を押すことで選択し、ＯＲ検索で表示する機器を選択した場合の画面の例である。状態が正常な機器が非表示になり、状態がエラー１とエラー２の機器のみを表示している。つまり、特定の状態（エラー１、エラー２）を選択することで（メニュー７００１、７００２を選択）、選択された特定の状態の機器及びその状態が管理画面６００に表示される。
【００８１】
なお、ここでは図２５の状態選択部（表示機器選択画面７０００）で選択した後に、図２６のように特定の状態（エラー１、エラー２）の機器及びその状態を表示するようにしているが、図２４の特定状態機器選択部（表示機器選択ボタン６０１）に選択動作があった場合に、図２５の特定状態機器選択部（表示機器選択ボタン６０１）が表示されることなく、図２６のように直ちに特定の状態（エラー１、エラー２）の機器及びその状態が表示されるようにしてもよい。また、このような特定の状態の機器（エラー１、エラー２）及びその状態の表示は、機器情報表示部３０５（第２表示部）にされる。
【００８２】
本実施例では、エラー１〜７を選択する画面を説明しているが、エラー以外にも、省エネ運転中、メンテナンス中などの状態を特定の状態として選択できるようにしてもよい。以上説明したように、特定状態機器選択部（表示機器選択ボタン６０１）を強調表示することで、特定の状態となった機器がツリー表示部３０１（第１表示部）に表示されていない場合であっても、ユーザがスクロールバー３０４によるスクロール動作をすることなく直ちに何れかの機器が特定の状態となったことを把握することができ、ユーザの利便性向上を図ることができる。そして、状態選択部（表示機器選択画面７０００）において、特定の状態（図２５ではエラー１、エラー２）を強調表示することで、ユーザはどの状態を選択すると有益な情報が表示できるかを一目で把握可能であり、直ちにその情報を確認することができるようにするものである。
【実施例９】
【００８３】
本実施例では、強調表示のかわりに、特定の状態が選択された状態で表示機器選択画面を表示する機器管理装置の例を説明する。  
本実施例では図２３の管理フローチャートにおいて、ステップ５０６の動作を変更する。
ステップ５０６：表示機器選択画面作成部４０１は、表示する機器を選択するための表示機器選択画面を作成し、出力部１０５を介して出力装置１０９へと出力する。この時、記憶装置１０２に蓄際している特定の状態情報４０２を用いて、特定の状態を選択して表示する。
【００８４】
図２７は、特定の状態が選択された表示機器選択画面の例である。このように特定の状態を予め選択して表示することで、ユーザはどの状態を選択すると有益な情報を表示できるかを一目で把握することができ、機器管理装置の利便性を向上させることができる。
【符号の説明】
【００８５】
１００  機器管理装置
１０１  処理部
１０２  記憶装置
１０３  通信部
１０４  入力部
１０５  出力部
１０６  機器Ａ
１０７  機器Ｒ
１０８  入力装置
１０９  出力装置
１１０  機器情報収集部
１１１  機器情報監視部
１１２  管理画面作成部
１１３  機器制御部
１１４  通信路
１１５  機器情報
２０１  グループ表示部
２０７  「グループＡ」が管理している機器の機器情報
３００１  範囲外表示部
４００１  グループ全体表示部
８０１  表示区切り線
９０１  表示枠線
１００１  「グループＤ」が管理している機器の機器情報
１１０１  「グループＪ」が管理している機器の機器情報
１２０１  「ブロック８」が管理している機器の機器情報
１３０１  「グループＰ」が管理している機器の機器情報
１１６  前回の機器情報
３００  管理画面
３０１  ツリー表示部（第１表示部）
３０２  ツリー展開状態
３０３  ツリー折りたたみ状態
３０４  ツリー表示部（第１表示部）のスクロールバー
３０５  機器情報表示部（第２表示部）
３０６  機器情報表示部（第２表示部）のスクロールバー
３０７  各機器の情報
４００  機器管理装置
４０１  表示機器選択画面作成部
４０２  特定の状態情報
６００  管理画面
６０１  表示機器選択ボタン（特定状態機器選択部）
６０２  通知領域
７０００  表示機器選択画面（状態選択部）
７００１  状態を選択するメニュー
７００２  状態を選択するメニュー
７００３  状態を選択するメニュー
７００４  状態を選択するメニュー
７００５  状態を選択するメニュー
７００６  状態を選択するメニュー
７００７  状態を選択するメニュー
７００８  ＯＫボタン
７００９  キャンセルボタン
【図１】
2016212921.tif 000003
【図２】
2016212921.tif 000004
【図３】
2016212921.tif 000005
【図４】
2016212921.tif 000006
【図５】
2016212921.tif 000007
【図６】
2016212921.tif 000008
【図７】
2016212921.tif 000009
【図８】
2016212921.tif 000010
【図９】
2016212921.tif 000011
【図１０】
2016212921.tif 000012
【図１１】
2016212921.tif 000013
【図１２】
2016212921.tif 000014
【図１３】
2016212921.tif 000015
【図１４】
2016212921.tif 000016
【図１５】
2016212921.tif 000017
【図１６】
2016212921.tif 000018
【図１７】
2016212921.tif 000019
【図１８】
2016212921.tif 000020
【図１９】
2016212921.tif 000021
【図２０】
2016212921.tif 000022
【図２１】
2016212921.tif 000023
【図２２】
2016212921.tif 000024
【図２３】
2016212921.tif 000025
【図２４】
2016212921.tif 000026
【図２５】
2016212921.tif 000027
【図２６】
2016212921.tif 000028
【図２７】
2016212921.tif 000029
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
複数の機器をグループに分類して管理するための管理画面を提供する機器管理装置であって、
前記グループのうち、前記管理画面の所定の表示領域に収まる分のグループを表示するグループ表示部と、
前記グループの全体の情報が、前記グループ表示部に表示されたグループの順番に、かつ、前記管理画面の所定の表示領域に納まるように表示するグループ全体表示部と、を備え、
前記機器が所定の状態となった場合に、該機器が属するグループに対応する前記グループ全体表示部の位置の形態が前記所定の状態に対応して変化し、かつ、
前記機器が所定の状態となった場合に、前記機器の属するグループを自動で展開することを特徴とする機器管理装置。
【請求項２】
複数の機器をグループに分類して管理するための管理画面を提供する機器管理装置であって、
前記グループのうち、前記管理画面の所定の表示領域に収まる分のグループを表示するグループ表示部と、
前記グループの全体の情報が、前記グループ表示部に表示されたグループの順番に、かつ、前記管理画面の所定の表示領域に納まるように表示するグループ全体表示部と、を備え、
前記機器が所定の状態となった場合に、該機器が属するグループに対応する前記グループ全体表示部の位置の形態が前記所定の状態に対応して変化し、かつ、
変化した前記グループ全体表示部の位置の形態が選択されると、所定の状態となった機器または該機器の属するグループが前記グループ表示部に表示されることを特徴とする機器管理装置。
【請求項３】
請求項１又は２に記載の機器管理装置において、
前記グループ表示部に表示されている領域に対応する前記グループ全体表示部の表示形式を変化させることを特徴とする機器管理装置。
【請求項４】
請求項１又は２に記載の機器管理装置において、
前記複数の機器が所定の状態となった場合に、
該機器が属するグループに対応する前記グループ全体表示部の位置の形態が前記所定の状態に対応して変化するとともに、該機器が属するグループに対応する前記グループ表示部の位置の形態が変化することを特徴とする機器管理装置。
【請求項５】
請求項１又は２に記載の機器管理装置において、
前記グループ全体表示部の表示領域は前記グループの数以上に分割され、この分割された表示領域に前記グループの全体の情報が、前記グループ表示部に表示されたグループの順番に、かつ、前記管理画面の所定の表示領域に納まるように表示されることを特徴とする機器管理装置。
【請求項６】
請求項１又は２に記載の機器管理装置において、
前記グループはさらに上位グループに分類して管理され、
前記グループ表示部には、前記グループ及び前記上位グループのうち、前記管理画面の所定の表示領域に収まる分のグループ及び上位グループが表示され、
前記グループ全体表示部の表示領域は前記グループ及び前記上位グループを合わせた数以上に分割され、この分割した表示領域に前記グループ及び前記上位グループの全体の情報が、前記グループ表示部に表示されたグループ及び上位グループの順番に、かつ、前記管理画面の所定の表示領域に納まるように表示されることを特徴とする機器管理装置。
【請求項７】
請求項１又は２に記載の機器管理装置において、
ユーザによるスクロールバーの操作により、前記グループ表示部に全てのグループを表示可能とするスクロール表示部を備え、
該スクロール表示部は、前記グループ全体表示部と対応する位置に設けられるとともに、
前記グループ表示部は、前記スクロールバーが前記グループ全体表示部の所定のグループに対応する位置にあるとき、該所定のグループを表示領域に表示することを特徴とする機器管理装置。